(57)【特許請求の範囲】
【請求項１】
細長形状の振動板と、
前記振動板の外周部に沿って帯状に設けられた溝部と、
端面形状がトラック型なる筒状であって、その一端面が前記振動板の一面側に固定されたボイスコイルボビンと、
を有する電気音響変換器であって、
前記振動板は、
該振動板の長手方向に交互に設けられた凸状の湾曲部及び凹状の湾曲部と、
前記振動板の略中央部に設けられた前記長手方向と直交する方向に延在する細溝部と、を有し、
前記ボイスコイルボビンは、該ボイスコイルボビンの長手方向の略中央部に、前記細溝部に固定された梁を有し、
前記溝部は、前記細溝部によって前記振動板の長手方向に２ブロックに分けられた前記振動板の中央部付近であって前記凸状の湾曲部の両側または前記凹状の湾曲部の両側に、各ブロックにつき２ヶ所ずつ、前記湾曲部の一つと同程度の前記長手方向の長さをもって補強剤が充填されていることを特徴とする電気音響変換器。
【発明の詳細な説明】
【０００１】
【発明の属する技術分野】
本発明は、細幅（長）で、かつ音質の優れた電気音響変換器としてのスピーカに関するものである。
【０００２】
【従来の技術】
近年、ハイビジョンやワイドビジョン等の普及により、テレビの画面は横長のものが一般的になりつつある。しかし一方では、我が国の住宅事情から、テレビセット全体として幅狭・薄型のものが望まれている。このことは、テレビに限らず、一般のオーディオコンポにも云えることである。
【０００３】
例えば、テレビ用のスピーカユニットは、通常ブラウン管の両脇に取り付けられるため、テレビセットの横幅を大きくする一因となっている。そのため、従来からテレビ用には角型や楕円型等の幅の狭いスピーカユニットが用いられてきた。          ところが、ブラウン管の横長化により、スピーカユニットの幅はますます狭くすることが求められ、同時に画面の高画質化に対応した音声の高音質化が要求されている。
【０００４】
しかしながら、一般的な細幅構造のスピーカでは、細幅の振動板を長径と短径を有するボイスコイルで駆動することになるため、長軸方向の分割共振が励起されやすい。その結果、中高音帯域では再生音圧周波数特性上にピークディップを生じ、音質の劣化を招いていた。
【０００５】
以下、上記した従来の細幅構造になる電気音響変換器２０の構成について、図７〜図１０を参照して説明する。
【０００６】
図７（ａ），（ｂ）は、それぞれ従来の細幅構造になる電気音響変換器２０の正面図、及びＡ-Ａ線断面図である。図７（ａ），（ｂ）において、２１は、振動方向から見た平面形状が、長径と短径を有し、音を放射する方向に凹凸状に連続的に湾曲した形状を有する非軸対称形の振動板である。この振動板２１の外周部にはエッジ２２が接合され、フレーム２３に保持されている。
【０００７】
振動板２１の外周部下端には、図８に示す如くのトラック型のボイスコイルボビン２４が固着されている。このボイスコイルボビン２４の外周面には、ボイスコイル２５が巻回されている。ボイスコイルボビン２４は、後述する磁気回路の磁気空隙Ｇに釣り下げられ、音声信号電流と磁束により駆動力を発生する。前記したフレーム２３は、箱状に形成され、その側面の一部は、エッジ２２方向に沿った形状としている。
【０００８】
フレーム２３の内側底面には、前記した後述する如くの磁気回路が取付けられている。磁気回路は、鉄製のヨーク２６、マグネット２７、ポールピース２８で構成され、図示しない治具によりフレーム２３の所定位置に固定されている。なお、マグネット２７、ポールピース２８は、振動板２１の主振動部に対応する位置に設けられているものである。
【０００９】
ここで、振動板２１の具体的構成につき説明する。この振動板２１は、前記した如く、振動方向から見た平面形状が、長径と短径を有し、音を放射する方向に凹凸状に連続的に湾曲した形状を有する非軸対称形のものである。すなわち、２９ａを凸状部とし、これと交互に連続している２９ｂを凹状部としたものである。なお、それぞれの凹状部までの深さ方向の寸法Ｄは、ほぼ同程度に形成されている。また、この振動板２１は、ボイスコイル２５の発熱に耐え、かつ、振動板２１としての機械的特性に優れたポリイミド（ＰＩ）フィルムによって構成されている。なお、２９ｃは、振動板２１の略中央部に設けた凹状溝部である。
【００１０】
ところで、振動板２１はその厚みが大きい場合、それだけ重量が増し強力な磁気回路を構成する必要があるため、厚みは出来るだけ薄い方が好ましい。しかしながら、従来の振動板２１は、その厚みを薄くした場合、強度が低下し、図９に示すように振動板２１が中央付近で内側に窪んでしまうという問題点が発生した。
【００１１】
この現象は、ボイスコイルボビン２４にも同様な方向に変形を生じさせ、その長手方向中央部が、振動板２１の変形によってポールピース２８に接触し、異常音の原因となったり、図１０に示すように、その中高音帯域での音圧周波数特性上に歪み（２次歪、３次歪等の高調波歪）を発生させる原因となっていた。そしてその変形は、２ボルト入力の時、ボイスコイルボビン２４の長手方向中央部の、長手方向に直角な方向に発生する変位は、０．５mmにも達するものである。
【００１２】
そこで、このような問題点に鑑み、本特許出願人は、特願平１０-１９２０４８号において、上記問題点を解消し、細幅（長）構造でありながら、分割共振が起こりにくく、平坦な特性が得られるようにした音質の優れた電気音響変換器を提案している。
【００１３】
しかしながら、かかる出願になる構成をもってしても、製造上の点等から十分なものとは云えず、かつ又、振動板が中央付近で内側に窪んでしまうという問題点を解決することは出来ないものであった。
【００１４】
そこで、本特許出願人は、更にこの点を改良するものとして、振動板と、この振動板に接続されるボイスコイルボビンを新規な構成とした出願を、特願２０００−２９９０７２号（平成１２年９月２９日出願、以下先の出願という）として行っている。以下、その電気音響変換器１０の構成について、図１１〜図１５を参照して説明する。
【００１５】
図１１（ａ），（ｂ）は、それぞれ前記した先の出願になる細幅の電気音響変換器１０の正面図、及びＡ-Ａ線断面図である。図１１（ａ），（ｂ）において、１は、振動方向から見た平面形状が、長径と短径を有し、音を放射する方向に凹凸状に連続的に湾曲した形状を有する非軸対称形の振動板である。この振動板１の外周部にはエッジ２が接合され、フレーム３に保持されている。
【００１６】
振動板１の外周部下端には、図１２に示す如くのトラック型のボイスコイルボビン４が固着されている。このボイスコイルボビン４の外周面には、ボイスコイル５が巻回されている。ボイスコイルボビン４は、後述する磁気回路の磁気空隙Ｇに釣り下げられ、音声信号電流と磁束により駆動力を発生する。前記したフレーム３は、箱状に形成され、その側面の一部は、エッジ２方向に沿った形状としている。
【００１７】
フレーム３の内側底面には、前記した後述する如くの磁気回路が取付けられている。磁気回路は、鉄製のヨーク６、マグネット７、ポールピース８で構成され、図示しない治具によりフレーム３の所定位置に固定されている。なお、マグネット７、ポールピース８は、振動板１の主振動部に対応する位置に設けられているものである。
【００１８】
ここで、振動板１の具体的構成につき説明する。この振動板１は、前記した如く、振動方向から見た平面形状が、長径と短径を有し、音を放射する方向に凹凸状に連続的に湾曲した形状を有する非軸対称形のものである。すなわち、１１ａ〜１１ｆを凸状部とし、これと交互に連続している１２ａ〜１２ｄを凹状部としたものである。
【００１９】
なお、それぞれの凹状部までの深さ方向の寸法Ｄは、中央部を除きほぼ同程度に形成されている。また、この振動板１は、ボイスコイル５の発熱に耐え、かつ、振動板１としての機械的特性に優れたポリイミド（ＰＩ）フィルムによって構成されている。
【００２０】
９は、前記した振動板１の略中央部に、振動部の長手方向と直交する如く設けた凹状溝部である。なお、この凹状溝部９の深さ方向の寸法Ｆは、前記凹状部までの深さＤより大であって、凸状部の立ち上がり部である振動板１の肩部１４の寸法Ｃと略同程度に設定してある。
【００２１】
次に、振動板１の外周部下端に固着されているボイスコイルボビン４の具体的構成につき主として図１２を参照して説明する。図１２より明らかな如く、ボイスコイルボビン４は、振動板１の振動方向から見た平面形状が、長径と短径とを有する非軸対称形であって、かつ、ボイスコイルボビン４の一部は、振動板１の長径方向に関して、互いに平行な直線部分を有している。
【００２２】
また、ボイスコイルボビン４は、巻線を施すフォーム部分が、振動板１の長径方向に沿って２分割（４1、４2）されており、この分割部分が短径方向に関して平行になる如く接合することにより、補強部としての梁１３が構成されるものである。
【００２３】
そして、このように構成された先の出願になる細幅の電気音響変換器１０によれば、振動板１中央部の窪み振動に起因して５００Ｈｚ〜１ｋＨｚに発生していた２次、３次高調波が大きく減少するという効果を奏するものであった。
【００２４】
ところで、振動板１はその厚みが大きい場合、それだけ重量が増し強力な磁気回路を構成する必要が出てくるため、厚みは出来るだけ薄い方が好ましい。しかしながら、一般的に振動板１は、その厚みを薄くした場合、強度が低下し、ボイスコイルボビン４の長手方向直線部分に発生する振動を抑えることができず、このボイスコイルボビン４の振動が、これに接続されている振動板１に伝達されるので、この振動板１の側面が撓むように変形し、この変形により音波放射部分が持ち上げられるために、図１３の周波数特性図で示されるように、その中高音域での音圧周波数特性に歪（２次歪、３次歪等の高調波歪）を発生させる原因となっていた。
【００２５】
特に、この現象は、図１４に示す振動板に発生する屈曲波の振動モード（５ｋＨｚ〜１０ｋＨｚに発生する代表的な振動を、１／４モデルとして（ａ）〜（ｄ）で示している）にて明らかなように、中高音帯域５ｋＨｚ〜６ｋＨｚ（（ａ）、（ｂ））で顕著に発生し、前記した図１３の周波数特性上で示すような大きなピークディップを示し、又、同図に示すような歪み（２次歪、３次歪等の高調波歪）を発生させる原因ともなっていた。
【００２６】
従来は、この問題を解決するため図１５に示すように、ボイスコイル５ａが巻回されたボイスコイルボビン１５の短径方向に、補強用の梁１６〜１８を設けることによって、このボイスコイルボビン１５の長手方向直線部に発生する振動を抑えることにより防止していた。図１６は、かかるボイスコイルボビン１５を有する電気音響変換器１０ａの側面図である。
【００２７】
【発明が解決しようとする課題】
しかしながら、かかる構成を有する電気音響変換器１０ａによれば、前記した如くの問題点は解消されるものではあるが、図１６に示すように磁気回路を構成する各部分も、前記した補強用の梁１６〜１８の数に合わせて分割（Ａ〜Ｄ）しなければならないため、構造の複雑化を招き、磁束密度の低下と部品の製造が複雑になる等の問題があり、性能安定性の点、コストの点等に改良の余地が残されていた。
【００２８】
なお、前記した図１６の電気音響変換器１０ａにおいて、１ａは、振動板、２ａは、エッジ、３ａはフレーム、５ａは、ボイスコイル、６ａは、ヨーク、７ａ〜７ｄは、マグネット、８ａ〜８ｄは、ポールピース、９ａは、凹状溝部、１１ａ1、１１ｆ1は、凸状部、１２ａ1、１２ｄ1は、前記凸状部１１ａ1、１１ｆ1等と連続している凹状部である。
【００２９】
そこで、本発明者等は、かかる問題点を鋭意検討した結果、例えば、図１３の６ｋＨｚ付近に示されている周波数特性上のピークの原因は、前記した図１４の５．５ｋＨｚ、６．５ｋＨｚに発生する屈曲波の振動モードより明らかなように、長手方向中央部に設けられた溝部９ａによって２ブロックに分けられた振動板１ａの、さらに中央部付近（振動板全体から見れば長手方向を４分割した部分付近）の横振幅が大きくなっているために、同部付近の振動板頂部が押し上げられることにより発生するものであることを突き止めた。なお、この現象は、（ｃ）、（ｄ）の９ｋＨｚ，１０．５ｋＨｚでは発生していない。
【００３０】
そして、かかる問題点は、振動板の音を放射する方向に凹凸状に連続的に形成した湾曲部の形状によるものではないかとの推測に立って各種の実験を進めた結果、振動方向から見た平面形状が長径と短径を有して略トラック状に形成され、このトラックに沿って帯状に溝部を設けると共に、音を放射する方向に凹凸状に連続的に湾曲しており、前記溝部と接続される如く、振動部の長手方向と直交する略中央部に溝部を設けた非軸対称形の振動板構成を採ることがかなりの好結果をもたらすことがわかってきた。
【００３１】
また、ボイスコイルボビンの構成としては、巻線を施すフォーム部分が振動板の長手方向に沿って２分割されており、この分割部分が接合された状態で前記振動板の略中央部に設けた溝部に接続されているものが、これまた、かなりの好結果をもたらすことがわかってきた。
【００３２】
更に、前記した問題点の直接的な原因となっている、振動板全体から見ると長手方向を４分割した部分付近の横振幅が大きくなっているために、同部付近の振動板頂部が押し上げられる点に関しては、トラックに沿って帯状に形成された溝部の複数個所に、前記音を放射する方向に凹凸状に連続的に形成した湾曲部の一つと同程度の幅で補強剤を充填することにより、これまたかなりの好結果をもたらすことがわかってきた。
【００３３】
そして、これら具体的な振動板構成、ボイスコイル構成、補強剤の充填個所等を総合的に勘案した電気音響変換器を作製し、各種の実験にて検証を進めることにより、前記した問題点をことごとく解決した電気音響変換器が得られることが明らかなものとなったので、ここで新たな提案をするものである。
【００３４】
以下、図１７〜図２０を参照して前記した振動板構成、ボイスコイル構成、補強剤の充填個所が重要である点につき説明する。
【００３５】
図１７は、前記した具体的な振動板構成において、補強剤の充填個所を振動板全体から見ると長手方向を４分割した部分付近とは異なる部分、具体的には、音を放射する方向に凹凸状に連続的に形成した湾曲部のうちの凹部と対応する両側位置に、それと同程度の幅で充填した場合の例を示す斜視図である。
【００３６】
図１８は、前記した具体的な振動板構成において、補強剤の充填個所を振動板全体から見ると長手方向を４分割した部分付近とは異なる部分、具体的には、振動板長手方向の両端部に充填した場合の例を示す斜視図である。
【００３７】
図１９は、前記した図１７の構成における周波数特性図であり、この図１９より明らかな如く、図１７の如くの位置に補強剤を充填した場合は、周波数特性が平坦にならないことや、高調波歪の低減が少ない等補強剤を充填した効果が得られていないことがわかる。
【００３８】
図２０は、前記した図１８の構成における周波数特性図であり、この図２０より明らかな如く、図１８の如くの位置に補強剤を充填した場合は、周波数特性が平坦にならないことや、高調波歪の低減が少ない等補強剤を充填した効果が得られていないことがこれまたわかる。
【００３９】
以上の説明より、振動板構成、ボイスコイル構成、補強剤の充填個所が重要であることが明らかであり、本発明は、かかる具体的構成を有する電気音響変換器を提供することを目的とするものである。
【００４０】
【課題を解決するための手段】
本発明は、上記目的を達成するためになされたものであり、細長形状の振動板１と、前記振動板１の外周部に沿って帯状に設けられた溝部３０と、端面形状がトラック型なる筒状であって、その一端面が前記振動板１の一面側に固定されたボイスコイルボビン４と、を有する電気音響変換器５０であって、前記振動板１は、該振動板１の長手方向に交互に設けられた凸状の湾曲部（１１ａ〜１１ｆ）及び凹状の湾曲部（１２ａ〜１２ｄ）と、前記振動板１の略中央部に設けられた前記長手方向と直交する方向に延在する細溝部９と、を有し、前記ボイスコイルボビン４は、該ボイスコイルボビン４の長手方向の略中央部に、前記細溝部９に固定された梁１３を有し、前記溝部３０は、前記細溝部９によって前記振動板１の長手方向に２ブロックに分けられた前記振動板１の中央部付近であって前記凸状の湾曲部の両側または前記凹状の湾曲部の両側に、各ブロックにつき２ヶ所ずつ、前記湾曲部の一つと同程度の前記長手方向の長さをもって補強剤３１が充填されていることを特徴とする電気音響変換器５０である。
【００４１】
【発明の実施の形態】
以下、本発明の好適な実施例を添付図面に基づいて説明する。なお、以下に述べる実施例は、本発明の好適な具体例であるから、技術的に好ましい種々の限定が付されているが、本発明の範囲は、以下の説明において特に本発明を限定する旨の記載がない限り、これらの態様に限られるものではない。
【００４２】
図１は、本発明になる電気音響変換器の好ましい一実施例を示すもので、（ａ）は平面図、（ｂ）はＡ−Ａ線断面図、（ｃ）はＢ−Ｂ線断面図、図２は、図１の電気音響変換器の主要部を構成する振動板の外周部に形成された溝部の複数箇所に、前記音を放射する方向に設けられた凹凸状の湾曲部の一つと同程度の幅を持って接着剤などの補強剤を充填した斜視図、図３は、同、ボイスコイルが巻回されたボイスコイルボビンの斜視図、図４は、振動板の長手方向に補強剤を充填した部分の横断面図、図５は、ボイスコイルボビンとの接合後における振動板の長手方向に補強剤を充填した部分の横断面図、図６は、本実施例になる電気音響変換器の周波数特性図である。本実施例の基本的構成は、前記した先の出願になる細幅の電気音響変換器１０と略同様構成であるが、若干異なる部分があるため、念のため説明する。
【００４３】
まず、図１、図２を参照して、本実施例になる電気音響変換器５０を構成する振動板１の具体的構成について説明する。
【００４４】
図１（ａ）〜（ｃ）は、本実施例になる細幅の電気音響変換器５０の正面図、Ａ-Ａ線断面図、及びＢ−Ｂ線断面図、図２は、図１の電気音響変換器の主要部を構成する振動板の外周部に形成された溝部の複数箇所に、前記音を放射する方向に設けられた凹凸状の湾曲部の一つと同程度の幅を持って接着剤などの補強剤を充填した斜視図である。
【００４５】
図１（ａ），（ｂ）において、１は、後述する概略振動方向から見た平面形状が、長径と短径を有し、音を放射する方向に凹凸状に連続的に湾曲した形状と外周部に沿って帯状に形成された溝部３０とを有する非軸対称形の振動板である。この振動板１の外周部にはエッジ２が接合され、フレーム３に保持されている。
【００４６】
振動板１の外周部下端には、図３に示す如くのトラック型のボイスコイルボビン４が固着されている。このボイスコイルボビン４の外周面には、ボイスコイル５が巻回されている。ボイスコイルボビン４は、後述する磁気回路の磁気空隙Ｇに釣り下げられ、音声信号電流と磁束により駆動力を発生する。前記したフレーム３は、箱状に形成され、その側面の一部は、エッジ２方向に沿った形状としている。
【００４７】
フレーム３の内側底面には、前記した後述する如くの磁気回路が取付けられている。磁気回路は、鉄製のヨーク６、マグネット７、ポールピース８で構成され、図示しない治具によりフレーム３の所定位置に固定されている。なお、マグネット７、ポールピース８は、振動板１の主振動部に対応する位置に設けられているものである。
【００４８】
ここで、振動板１の具体的構成につき説明する。この振動板１は、前記した如く、振動方向から見た平面形状が長径と短径を有して略トラック状に形成され、このトラックに沿って帯状に溝部３０を設けると共に、音を放射する方向に凹凸状に連続的に湾曲しており、前記溝部３０と接続される如く、振動部の長手方向と直交する略中央部に細溝部９を設けた非軸対称形のものである。すなわち、１１ａ、１１ｂ，１１ｃ，１１ｄ，１１ｅ，１１ｆを凸状部とし、これと交互に連続している１２ａ，１２ｂ，１２ｃ，１２ｄを凹状部としたものである。
【００４９】
なお、３１は、前記した溝部３０内で凹凸状の湾曲部の一つと同程度の幅を持ってそこに充填される補強剤であり、可撓性を有するプラスチック、例えば、クロロプレン系接着剤と可塑剤を１：９乃至２：８に混合したものなどが好適である。そして、この溝部３０内に充填される補強剤３１の量は、後述する図４、図５より明らかな如くエッジ２の表面と略同程度の高さとなるよう、すなわち、溝部３０が埋まる程度が最適である。なお、これ以下の量では、周波数特性上のピークが平坦にならず、また、前記した溝部３０が埋まる程度を越えた場合は、図２１に示すように周波数特性は平坦になり、高調波歪は減少するが、高音の音圧が低下してしまうので、あまり好ましくはない。
【００５０】
また、それぞれの凹状部までの深さ方向の寸法Ｄは、中央部を除き、ほぼ同程度に形成されている。また、この振動板１は、ボイスコイル５の発熱に耐え、かつ、振動板１としての機械的特性に優れたポリイミド（ＰＩ）フィルムによって構成されている。
【００５１】
９は、前記した振動板１の略中央部に、振動部の長手方向と直交する如く設けられた細溝部である。なお、この細溝部９の深さ方向の寸法Ｆは、前記凹状部までの深さＤより大であって、凸状部の立ち上り部である振動板１の肩部１４の寸法Ｃと略同程度に設定してある。
【００５２】
３０は、前記した如く振動板１の外周部（トラック）に沿って帯状に形成された溝部である。また、この溝部３０の深さは、後述する図４、図５より明らかな如く、ボイスコイルボビン４の外周面に巻回されるボイスコイル５の位置より浅くなるように（振動板１側に近い位置）、かつ、その幅は、磁気ギャップ程度の大きさとし、振動系の振幅によって磁気回路部分に接触することがないような寸法に設定してある。すなわち、この溝部３０は、成型用の金型によってその面精度が確保されているものである。
【００５３】
次に、振動板１の外周部下端に固着されているトラック型のボイスコイルボビン４の具体的構成について、図３〜図５を参照して説明する。図３より明らかな如く、ボイスコイルボビン４は、振動板１の振動方向から見た平面形状が、長径と短径とを有する非軸対称形であって、かつ、ボイスコイルボビン４の一部は、振動板１の長径方向に関して、互いに平行な直線部分を有している。５は、このボイスコイルボビン４に巻回されているボイスコイルである。
【００５４】
また、ボイスコイルボビン４は、巻線を施すフォーム部分が、振動板１の長径方向に沿って２分割（４1、４2）されており、この分割部分が短径方向に関して平行になる如く接合することにより、補強部としての梁１３が構成されるものである。なお、１５は、ボイスコイルボビン４の外周面に巻回され補強紙として用いられるクラフト紙からなるバンドである。
【００５５】
このように構成したボイスコイルボビン４は、前記した如く溝部９の深さ方向の寸法Ｆが、前記凹状部までの深さＤより大であって、凸状部の立ち上り部である振動板１の肩部１４の寸法Ｃと略同程度に設定されているので、これを振動板１の下方より挿入配置する場合にも、図１（ｂ）、図４、図５に明示されている如くの正規の位置である、細溝部９の下方に何等問題なく直接的に固定することができるものである。
【００５６】
次に、このように構成した電気音響変換器５０の動作について説明する。
前記構成において、マグネット７によってボイルコイルボビン４周囲に磁界が発生し、このボイルコイルボビン４に巻回されたボイルコイル５に駆動電流が流れると、前記したボイルコイルボビン４に駆動電流に応じた電磁力が作用し、この電磁力で主振動部１ａを主体として振動板１が振動する。
【００５７】
この振動に際して振動板１の長手方向の中央部である細溝部９付近は、補強部としての梁１３で支持されているため、振動板１の長手方向中央部付近で、内側に窪む現象は発生せず、すなわち、分割振動が防止される。
【００５８】
また、この細溝部９と連続しており振動部の周囲に設けた溝部３０は、前記した如く、その面精度が確保されているため、正確に駆動力が伝達される。
【００５９】
又、振動板１の上面は、外側（音を放射する方向）に突出する形状の略半円筒面１１ａと、これと連続しており、内側にくぼむ形状の略半円筒面１２ａ等とが長手方向に交互に配置される形状となっているので、相補的にこの部分の振動成分の発生が未然に防止される。
【００６０】
図６は、本実施例になる電気音響変換器５０において、振動板１の外周部に沿って帯状に形成された溝部３０内で、前記振動板１の音を放射する方向に凹凸状に連続的に形成した湾曲部の内の、例えば、突部の両側の４ヶ所に、前記湾曲部の一つと同程度の幅を持って補強剤３１を充填した場合の、音圧周波数特性と高調波歪みの関係を示す周波数特性図、図２２は、前記した溝部３０内に補強剤を充填しない場合の、音圧周波数特性と高調波歪みの関係を示す周波数特性図である。
【００６１】
なお、本実施例では、成型上の理由から凸部の両側の４ヶ所に補強剤を充填した例で説明したが、凹凸がこれとは逆に成型された場合には、凹部の両側の４ヶ所に補強剤が充填されるものである。
【００６２】
この両図より明らかな如く、振動板１の周辺に設けられた溝部３０内で、前記振動板１の音を放射する方向に凹凸状に連続的に形成した湾曲部の内の、例えば、突部の両側の４ヶ所に、前記湾曲部の一つと同程度の幅を持って補強剤３１を充填した場合は、前記した溝部３０内に補強剤を充填しない場合に比し、振動板１の振動に起因して５ＫＨｚ〜６ＫＨｚ付近に発生していた音圧周波数特性上のピークのレベルが減少し、又、周波数特性上の２次、３次高調波歪が大きく減少していることが実証されていて、本実施例の優位性が一見してわかるものである。
【００６３】
【発明の効果】
以上説明したように、本発明によれば、固有振動によって発生する長手方向の異常振動が抑制され、歪みのない音波再生が実現できるという効果がある。
【図面の簡単な説明】
【図１】本発明に係る電気音響変換器の一実施例を示す説明図である。
【図２】図１の電気音響変換部の主要部を構成する振動板に補強剤が充填された状態を示す斜視図である。
【図３】図１の電気音響変換器の主要部を構成するボイスコイルが巻回されたボイスコイルボビンの斜視図である。
【図４】図１における振動板の長手方向中央部の横断面図である。
【図５】図１におけるボイスコイルボビンとの接合後における振動板の長手方向中央部の横断面図である。
【図６】本発明になる電気音響変換器の周波数特性図である。
【図７】従来の電気音響変換器の説明図である。
【図８】従来の電気音響変換器の主要部を構成するボイスコイルが巻回されたボイスコイルボビンの斜視図である。
【図９】従来の電気音響変換器に用いられた振動板中央部のくぼみ振動の説明図である。
【図１０】従来の電気音響変換器の周波数特性図である。
【図１１】先願になる電気音響変換器の説明図である。
【図１２】図１１になる電気音響変換器の主要部を構成するボイスコイルが巻回されたボイスコイルボビンの斜視図である。
【図１３】先願になる電気音響変換器の周波数特性図である。
【図１４】先願になる電気音響変換器に用いられた振動板に発生する屈曲波の振動モードを示す説明図である。
【図１５】従来の電気音響変換器に用いられるボイスコイルが巻回された他のボイスコイルボビンの斜視図である。
【図１６】従来の電気音響変換器の他の説明図である。
【図１７】図１の電気音響変換部の主要部を構成する振動板に補強剤が充填された他の状態を示す斜視図である。
【図１８】図１の電気音響変換部の主要部を構成する振動板に補強剤が充填された更に他の状態を示す斜視図である。
【図１９】図１７における電気音響変換器の周波数特性図である。
【図２０】図１８における電気音響変換器の周波数特性図である。
【図２１】振動板の溝部内に充填された補強剤が所定量より多い場合の周波数特性図である。
【図２２】図６の電気音響変換器において、補強剤を用いない場合の周波数特性図である。
【符号の説明】
１、２１    振動板
２、２２    エッジ
２ａ        外周部
３、２３    フレーム
４、１５    ボイスコイルボビン
５、２５    ボイスコイル
６、２６    ヨーク
７、２７    マグネット
８、２８    ポールピース
９          細溝部
１０、２０、５０    電気音響変換器
１１ａ〜１１ｆ、２９ａ    凸状部
１２ａ〜１２ｄ、２９ｂ    凹状部
１３    梁
１４    肩部
１６〜１８    補強用の梁
２９c        凹状溝部
【図１】
0003802366.tif 000002
【図２】
0003802366.tif 000003
【図３】
0003802366.tif 000004
【図４】
0003802366.tif 000005
【図５】
0003802366.tif 000006
【図６】
0003802366.tif 000007
【図７】
0003802366.tif 000008
【図８】
0003802366.tif 000009
【図９】
0003802366.tif 000010
【図１０】
0003802366.tif 000011
【図１１】
0003802366.tif 000012
【図１２】
0003802366.tif 000013
【図１３】
0003802366.tif 000014
【図１４】
0003802366.tif 000015
【図１５】
0003802366.tif 000016
【図１６】
0003802366.tif 000017
【図１７】
0003802366.tif 000018
【図１８】
0003802366.tif 000019
【図１９】
0003802366.tif 000020
【図２０】
0003802366.tif 000021
【図２１】
0003802366.tif 000022
【図２２】
0003802366.tif 000023